(57)【要約】【目的】とぎれやすいインキを使用したボールペン、主として、誤記等修正用の加圧式のボールペンを使い勝手良く簡単な構造で安価に提供可能とする。【構成】軸筒の後端に、スプリングを介して軸筒に対し前進可能な状態で係止されたノック体と、このノック体の前方に連結した押し体と、更にその前方に前端に開口孔を有した伸縮可能なシール筒体が設けられ、シール筒体の当接部でインキ収容部の後端孔が外気と遮断されると共に、押し体の前端でシール筒体の開口孔がシールされ、ノック体の前進でシール筒体が収縮してその内圧が高まり、更に押し体が前進して押し体の前端と開口孔とのシールが解除されて、インキ収容部の後端孔に空気が押し込まれてフォロアの後端が加圧され、押し体の後退で再びシール筒体の開口孔がシールされると共に、ノック体と押し体の連結部を介して押し体に形成された通気路によりシール筒体内に外気が流入する【選択図】                図３
2004237507.tif 000002
【特許請求の範囲】
【請求項１】
軸筒の前方に、先端にボールペンのチップと後方にインキ収容部を備え、インキ収容部にインキが充填されると共にそのインキの後端にインキの消耗に伴って追随するフォロアが配設されてなるボールペンに於いて、
軸筒の後端に、後端部を突出してスプリングを介して軸筒に対し前進可能な状態で係止されたノック体と、このノック体の前方に連結した押し体と、更にこの押し体の前方に前端に開口孔を有した伸縮可能なシール筒体が設けられ、また、シール筒体の当接部でインキ収容部の後端孔が外気と遮断されると共に、押し体の前端で前記シール筒体の開口孔がシールされ、ノック体の前進に連動する押し体の前進でシール筒体が収縮してシール筒体の内圧が高まり、更に押し体が前進した状態で前記押し体の前端とシール筒体の開口孔とのシール状態が解除されて、インキ収容部の後端孔に空気が押し込まれてフォロアの後端が加圧され、押し体の後退で再び押し体の前端で前記シール筒体の開口孔がシールされると共に、ノック体と押し体の連結部を介して押し体に形成された通気路によりシール筒体内に外気が流入するように設けられてなるボールペン。
【請求項２】
先端にボールペンのチップと後方にインキ収容管を備え、インキ収容管にインキが充填されると共にそのインキの後端にインキの消耗と共にインキに追随するグリース状のフォロアが配設されてなるボールペンリフィールが軸筒の前方に搭載されてなるボールペンであって、シール筒体の当接部でインキ収容管（インキ収容部）の後端孔が外気と遮断されるように設けられてなる請求項１に記載のボールペン。
【請求項３】
先端ボールがチップ先端のボール抱持部の内縁に密接するように先端ボールの背面にバネ圧が付与され、又、インキは、酸化チタン、高分子中空微粒子等の白色顔料とゲル化剤を含み、顔料の沈降が防止されると共に流動性が極力損なわれないように配合された白色顔料インキとなされた請求項１に記載のボールペン。
【発明の詳細な説明】
【０００１】
【産業上の利用分野】
本発明は、初期筆記でインキ切れしやすいインキを使用したボールペン、主として誤記等を白色のインキで隠蔽することで修正可能とするボールペン等の改良に関する。
【０００２】
【従来の技術】
【特許文献１】特開平８−５２４０７
【特許文献２】特表平７−５０６８６２
【特許文献３】特開２００１−１２１８８６
【特許文献４】特開２００１−１５０８６５
従来、誤記等を修正するために白色顔料を用いた液体塗布具が知られている。
また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）
また、剪断減粘性を有するインキを使用して、攪拌しないですむものも知られているが、上向きで塗布したときにインキが逆流してインキ切れしやすい問題が存在する。（特許文献２）
また軸筒の後端に、後端部を突出してスプリングを介して軸筒に対し前進可能な状態で係止された押し体とその押し体の前方に伸縮可能な筒状のシール体が設けられて、押し体の前進作動の直前ではインキ収容管の後端孔は外気と連通され、適宜前進した直後ではシール体の前端でインキ収容管の後端孔が外気と遮断されると共に、押し体の更なる前進でシール体が収縮してボールペンリフィールの後端孔に空気が押し込まれてフォロアの後端が加圧され、インキのチップ側への流動性を支援するようにしたものが提案されている。（特許文献３）
しかしながら、このものは加圧後すぐ大気圧に戻り、加圧が継続されないことと、インキの消耗と共にフォロアの後端と加圧機構との間が離れて行く為に加圧力が減少することからインキの特性によって加圧効果が発揮できない問題が存在する。
また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。（特許文献４）
しかしながら、このものは加圧機構部と弁機構部の構成が複雑でありコスト高となる問題がある。
【０００３】
一般に粘性の低いインキ又は剪断減粘性を有したインキを使用したボールペンは、インキの流出量が多く（筆記濃度を上げるため）インキ収容管の径を太くしてインキの搭載量を多くしている。又、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、又、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が存在する。
特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、インキの特性に応じた継続的な加圧作用で支援して筆記可能とする。主として、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧するようなこともない使い勝手の良い加圧式のボールペンを簡単な構造で安価に提供可能とする。
【０００５】
【課題を解決するための手段】
本発明は、上記課題を達成する為に以下の構成を有する。
請求項１に記載の発明に係るボールペンは、軸筒の前方に、先端にボールペンのチップと後方にインキ収容部を備え、インキ収容部にインキが充填されると共にそのインキの後端にインキの消耗に伴って追随するフォロアが配設されてなるボールペンに於いて、軸筒の後端に、後端部を突出してスプリングを介して軸筒に対し前進可能な状態で係止されたノック体と、このノック体の前方に連結した押し体と、更にこの押し体の前方に前端に開口孔を有した伸縮可能なシール筒体が設けられ、また、シール筒体の当接部でインキ収容部の後端孔が外気と遮断されると共に、押し体の前端で前記シール筒体の開口孔がシールされ、ノック体の前進に連動する押し体の前進でシール筒体が収縮してシール筒体の内圧が高まり、更に押し体が前進した状態で前記押し体の前端とシール筒体の開口孔とのシール状態が解除されて、インキ収容部の後端孔に空気が押し込まれてフォロアの後端が加圧され、押し体の後退で再び押し体の前端で前記シール筒体の開口孔がシールされると共に、ノック体と押し体の連結部を介して押し体に形成された通気路によりシール筒体内に外気が流入するように設けられてなる。
【０００６】
請求項２に記載の発明に係るボールペンは、請求項１に記載のボールペンに於いて、先端にボールペンのチップと後方にインキ収容管を備え、インキ収容管にインキが充填されると共にそのインキの後端にインキの消耗と共にインキに追随するグリース状のフォロアが配設されてなるボールペンリフィールが軸筒の前方に搭載されてなるボールペンであって、シール筒体の当接部でインキ収容管（インキ収容部）の後端孔が外気と遮断されるように設けられてなる。
【０００７】
請求項３に記載の発明に係るボールペンは、請求項１に記載のボールペンに於いて、先端ボールがチップ先端のボール抱持部の内縁に密接するように先端ボールの背面にバネ圧が付与され、又、インキは、酸化チタン、高分子中空微粒子等の白色顔料とゲル化剤を含み、顔料の沈降が防止されると共に流動性が極力損なわれないように配合された白色顔料インキとなされる。
【０００８】
【実施例】
図１乃至図５は本発明のボールペンの実施例を示している。
先ず、図１に示すボールペンリフィール１のインキ収容管２内には白色顔料インキ９が充填され、そのインキの後端にインキの消耗と共にインキと追随するグリース状のフォロア１０が充填されている。又、フォロアはインキと相溶性が無く又インキの蒸発を防止する性能を有している。又、必要に応じてフォロア内にフォロアと略同等の比重を有する樹脂製のフォロア棒１１が浸漬される。（尚、フォロアは例えばシリコンゴム等の追従体とすることも可能である。）
【０００９】
又、白色顔料インキ９は、酸化チタン、高分子中空微粒子等の白色顔料とゲル化剤を含み、顔料の沈降が防止されると共に流動性が極力損なわれないように配合された白色顔料インキである。又、インキは剪断減粘性を有しているので先端ボールの回転で粘度が低下するのと相まって隠蔽性の高い塗布が可能である。
【００１０】
又、図に示すように継ぎ手４は鍔部４ｂの前方に前軸部４ａが、後方に後軸部４ｃが形成され、前軸部４ａ先端のチップ嵌着孔４ｄに先端ボール６を抱持したチップ３の軸部３ｂが固着されている。又、前軸部４ａ外周の所用箇所にリブ４ｅが形成されている。
【００１１】
又、チップ３はインキ流入可能なチャンネルを有した座に先端ボール６が略当接した状態で、先端ボール６が回転自在に抱持されるようカシメられている。
又、チップ３の内孔部にスプリング７が内挿され、チップの軸部３ｂの後端が適宜カシメられてスプリング７の後端が抜出不能となされている。
【００１２】
又、スプリング７の先方には直線状の棒軸部７ａが形成され、当該棒軸部７ａの先端が先端ボール６の背面に押圧状に当接する。尚、先端ボール６はその押圧でチップ３のボール抱持部３ａ（カシメ等で形成）の内縁に密接状態と成されている。尚、スプリングの前面に先端ボール６の背面を押圧する押し部材を設けることも、又、上記棒軸部を極細巻きのコイル状となすことも可能である。
又更に、チップを耐磨耗性やインキのシール性能に優れた樹脂成型品となして、先端ボールの背面を押圧するバネ座を一体又は別体のバネ座を設けて構成することも可能である。
【００１３】
又、先端ボール６がボール抱持部３ａの内面に密接することはインキが高粘度であっても筆記先端の乾燥、インキの直流防止に対し極めて重要である。
即ち、本願のような誤記修正塗布用のボールペンはインキの吐出量を多くする為に、筆記用のボールペンに比較して先端ボールの後退する寸法を大きく設定されている。又、先端ボール６を抱持するチップ内面の表面粗さ、カシメによる密接精度を改善する為に内面の研削仕上げ、カシメ精度を上げる為の二次的な塑性加工が配慮される。又、必要によっては先端ボールとの密接面に表面処理などが配慮される。
【００１４】
又、上記チップ嵌着孔４ｄの後方にチップ３の軸心と適宜偏心させた弁室５が設けられ、弁室５の後部には導孔５ｂに連通してテーパー状又は球面状の弁体受け座５ａが形成されている。又、弁室５の内壁の一側にはインキが流入可能な溝部５ｃが形成されている。又、弁室５内には球状の弁体８が遊嵌されて、チップ３を下向きにした状態で弁体８がチップの軸部３ｂの後端に偏倚した状態に当接して、上記溝部５ｃ等を通じて導孔５ｂから流入したインキがチップ内孔部に流入するように構成されている。尚、弁体は弁体受け座に密接する側をテーパー状又は球面状に成した軸状体とすることも可能である。又、その際にはチップの軸部後端に当接する側の周面にチップ内にインキが流入する溝を形成することで弁室を上記のようにチップ軸心に対し偏心させる必要はない。尚、弁体の形態は実施例に限定されないものである。
【００１５】
ところで、図５はボールペンリフィールの別の実施形態を示している。上述したボールペンリフィール１との相違は弁体とフォロア棒を有さないことである。
即ち、誤字修正用のボールペンとしても弁体とフォロア棒は必須の構成要件としないものである。詳細については作用では後述する。
【００１６】
又、継ぎ手４の鍔部４ｂの後方には後軸部４ｃが延設されている。後軸部４ｃの外周には筒状のインキ収容管２がその先端を鍔部４ｂの後端に当接して圧入固着されインキ収容管２の内径部が継ぎ手４の導孔５ｂに導通している。尚、上記インキ収容管２は一例として透明のＰＰ樹脂成形品等が使用される。又、上述した実施例のボールペンは継ぎ手とインキ収容管が別部材で形成されているが、両者を一体の樹脂成形品で形成することも可能である。
【００１７】
次に、図２及び図３は、ボールペンリフィール１を軸本体に搭載した塗布具としてのボールペンの実施形態を示している。軸本体は、キャップ１７、軸筒１５、口先部１６、押し体１２及びノック体１４を主部材として構成されている。
先ず、図に示すように軸筒１５は樹脂成形品で、その先方に口先部１６を着脱可能に有し、そのやや後方の外周に突部と溝部とより成る係合部と、係合部の後端に後述するキャップ１７の端部が当接する段部が形成されている。又、口先部１６の内孔の周面に段部１６ａが形成されている。
ボールペンリフィール１は軸筒１５の前端から嵌挿され、継ぎ手４の鍔部４ｂの後端が軸筒１５の前端に当接すると共に、軸筒の前端部外周に口先部１６が螺合等により接合され、継ぎ手４の外周に設けたリブ４ｅが上記口先部の段部１６ａに係合すると共にチップ３の先方部が口先部１６の先端孔から突出される。
【００１８】
一方、軸筒１５の後端にはノック体、押し体、シール筒体よりなる加圧機構部が設けられている。又、軸筒１５の後端孔には段部１５ｃが形成されている。
先ず、ノック体１４は、前方に段部１４ａを有し、その前方にやや小径となった軸部１４ｂを有して形成されている。又、軸部１４ｂの前端には適宜深さで孔部１４ｃが設けられ、その孔部周面に係止突部１４ｄが設けられている。又、軸部１４ｂの前端面は滑らかな周状の凸状部１４ｅで形成されている。
【００１９】
また、押し体１２は、鍔部１２ａの前方に軸部１２ｂと縮径しながら前方が細径の棒状となったガイド部１２ｃが設けられ、その前端に径方向にやや膨出したシール部１２ｄが形成されている。また、鍔部１２ａの後方に縮径された短めの軸部１２ｅが形成され、その軸部１２ｅの周面に係止突部１２ｆが設けられ、更に前記軸部１２ｅを囲む状態で鍔部１２ａの後端面には滑らかな周状の凹状部１２ｈで形成されている。また、押し体１２は、軸部１２ｅの後端から前方に向かって通気孔１２ｇが設けられ、通気孔１２ｇの前端で前記ガイド部１２ｃの側面に抜ける空気の流入口１２ｉが形成されている。又、軸部１２ｂの外周に軸方向に伸縮可能なシール筒体１３の後端部が固着されている。
【００２０】
シール筒体１３は、一例としてゴム等の弾性体より成り、前方をやや肉厚として前端に当接部１３ａが設けられ、更に前端に内部に連通する開口孔１３ｃを有している。又、後方をやや肉薄の筒状として弾性部１３ｂが設けられて、その筒状部が軸方向に伸縮可能となされている。
又、上記ガイド部１２ｃに設けられたシール部１２ｄがシール筒体１３の開口孔１３ｃにシールされるようになされると共に、シール筒体１３が伸縮する際にシール筒体１３が横変形しないようガイドする機能も有している。又、押し体の前端とシール筒体の開口孔とのシール手段は上述した実施形態のみに限定されないものである。尚、シール筒体１３は、その筒状部を伸縮自在な蛇腹状とした樹脂成型品となすことも可能である。又、シール筒体が常時伸張した状態で弾性を保つように、シール筒体の内部又は外部において、押し体とシール体との間にバネを敷設することも可能である。（図示せず）
【００２１】
ノック体１４の孔部１４ｃに押し体１２の軸部１２ｅを挿着すると、ノック体の係止突部１４ｄを押し体の係止突部１２ｆが弾性的に乗り越えて係合し、ノック体１４と押し体１２は前後方向の僅かな動きを有して連結される。
そのとき、ノック体の係止突部１４ｄと押し体の係止突部１２ｆの内、一方を周状の突部で他方を周上に位置する突条となすことで連結箇所での通気が確保される。連結手段は連結箇所での通気が確保されれば実施例に限定されず設けることができる。又、ノック体前端の凸状部１４ｅが押し体鍔部後端の凹状部１２ｈに密接可能に対接する。
【００２２】
以上により、ノック体１４と共に押し体１２は、軸筒１５の後端から挿入され、ノック体１４の段部１４ａと軸筒の段部１５ｃの後面との間にスプリング１４ｇが敷設されると共に、押し体の鍔部１２ａが段部１５ｃの前面に相互間の弾性変形を利用して係止され、スプリング１４ｇによって軸筒１５に対し押し体１２は常時後方に附勢される。又、上記シール筒体１３の当接部１３ａがボールペンリフィールのインキ収容管２の後端孔の縁に密接し、従ってインキ収容管の後端孔は外気と遮断されている。
またこの時には、ノック体前端の凸状部１４ｅが押し体鍔部後端の凹状部１２ｈに密接せず隙間を有しており、連結部を介して通気孔１２ｇからシール筒体１３内（空間部１９）は外気に連通している。
【００２３】
更に、上述した実施例は、軸筒の前方にボールペンリフィールを搭載した形態で示しているが、軸筒前方部を直接、先端にボールペンのチップと後方にインキ収容部を有して設けることができる。又、軸筒を前方部と後方部に分割し、相互を螺合等によって着脱可能になすと共に、その軸筒前方部を直接、先端にボールペンのチップと後方にインキ収容部を有したボールペンリフィールとすることが可能である。
【００２４】
又、軸筒１５の先方に嵌着されるキャップ１７は弾性に優れた樹脂成形品で、その外周側面にクリップ１５ｂを位置させてその後端の筒部をキャップの後端孔に圧着している。又、クリップの筒部の後端には通気孔が貫通している。
又、キャップ１７の内孔後方に小室を有した筒状のインナーキャップ１７ａが設けられ、インナーキャップ１７ａはキャップ内孔部との間に所要数設けたリブで一体に接続されている。
以上により、リブとリブとの間を通じてキャップ挿入口から通気孔に連通した通気路が形成されて、万一幼児がキャップを飲み込んだ際に安全な通気手段となっている。又、インナーキャップ１７ａの小室の先端には非吸液性で非連続気泡の弾性体よりなるシール栓体１８が固定されており、キャップが嵌着された時にチップ３と口先部１６の先方が小室で略密嵌されると共に、チップ先端部がシール栓体１８に密接される。
【００２５】
【作用】
次に、実施例の作用を以下に説明する。
先ず図４に示すように、シール筒体１３の当接部１３ａがインキ収容管２の後端孔の縁に密接してインキ収容管の内孔部が密閉されている。
ノック体１４の後端を押圧して前進すると、ノック体前端の凸状部１４ｅが押し体鍔部後端の凹状部１２ｈに密接して空間部１９と外気との間が遮断されると共に、ノック体１４を更に前進すると、押し体１２が連動して前進し、シール筒体１３が収縮してシール筒体内（空間部１９）の内圧が高まり、更に押し体１２を前進すると押し体の前端に設けられたシール部１２ｄとシール筒体１３の開口孔１３ｃとのシール状態が解除されて、インキ収容管２の後端孔に空気が押し込まれ、フォロア１０の後端が加圧されてインキのチップ側への流動性が支援される。そのことは、落下衝撃やインキの流動性の悪さ等に起因して先端ボールの周面からインキが離れてしまい連続的なインキの流出がとぎれるのを防止する作用ととぎれた時に回復する作用となる。
【００２６】
ノック体１４の押圧を解除すると、ノック体１４と押し体１２が後退し、再び押し体の前端に設けられたシール部１２ｄでシール筒体１３の開口孔１３ｃがシールされる。続いて、押し体の鍔部１２ａの後端が軸筒の願部１５ｃに当接した状態でノック体１４の後退によってノック体前端の凸状部１４ｅと押し体鍔部後端の凹状部１２ｈとの密接が解除されて隙間を生じ、シール筒体１３内に外気が流入して元に戻る。従って、ポンピングを繰り返すことによって順次インキ収容管２の後端孔に空気が押し込まれ、フォロア１０の後端が加圧状態に維持され、インキのチップ側への流動性が継続的に支援可能となる。
又、加圧力はシール筒体の収縮する容積と押し体のシール部とシール筒体の開口孔とのシール性能によって決まり、シール筒体の材質や寸法、シール部の形状が設定される。
又、内圧が過度に上がることは無く、シール部位からリークする。
【００２７】
次に、ボールペンリフィールの作用について説明する。
図１はチップ３を上向きにした状態を示しており、スプリング７の棒軸部７ａの押圧で先端ボール６がチップ抱持部３ａの内縁に密接されているのでインキの逆流は防止されている。又、その時弁体８がは弁室５の弁体受け座５ａに位置して導孔５ｂを密閉するので、上向き筆記されてチップの先端ボール６背面のインキがなくなっても、インキにヘッドが掛かり逆流することがない。従って、チップ３を下向きにした時にインキが即流出可能となる。
因みにボール弁を有しない構造では、上向き筆記を繰り返すとインキが逆流方向に作用するのでチップ内に空気を巻き込み、下向き筆記で即インキが流出しにくくなる傾向がある。又、フォロア棒１１はインキ収容管が大径である場合に使用される。即ち、グリース状のフォロア１０は、インキ収容管が大径の場合に衝撃などの影響で変形を受け破壊されやすいという問題がある。その場合、フォロア内にフォロアと略同等の比重を有する樹脂製のフォロア棒を浸漬させることにより剛性を上げることが可能となる。
【００２８】
又、チップ３を下向きにした筆記状態に於いては、弁体８がチップの後端の一方に偏った状態に当接し、他方にはチップ３内にインキが流入可能な溝部５ｃが構成され、インキ収容管２から導孔５ｂを経て弁室５に入ったインキ９は溝部５ｃを通りチップ３の先端ボール６の背面まで誘導される。
【００２９】
尚、この状態では、スプリング７の棒軸部７ａの押圧で先端ボール６がチップ抱持部３ａの内縁に密接されるのでインキの直流が防止される。
又、筆圧により先端ボール６が後退するので隙間を生じてインキが流出可能となり、加圧作用に支援されて筆記による先端ボール６の回転でインキが流出され、誤記等がそのインキにより隠蔽される。
誤字修正用の場合、先端ボールが大きく後退するので、インキの後端側が加圧されてもスプリングの押圧によって即先端ボールがチップ抱持部の内縁に密接させることが重要である。
【００３０】
上記のフォロア棒や弁体を有したインキの逆流防止構造は、インキ収容管が大径で逆流しやすい場合や、上向き筆記を繰り返した時や衝撃が掛かった時に性能を発揮するものであって、構成要素として必須のものではなく、特に誤記修正用のボールペンは上向きに使用されることはまず無いので必ずしも必要としない。
誤字修正用のインキ以外のものでは、インキの粘性がかなり高いもの、先端ボールの後退量が小さいものは先端ボールの背面を押圧するスプリングは必ずしも必要としない場合がある。
【００３１】
【発明の効果】
本発明は以上の通りであり、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、インキの特性に応じた継続的な加圧作用で支援されて筆記可能となる。
主として、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧するようなこともない使い勝手の良い加圧式のボールペンが簡単な構造で安価に提供可能となる。
【図面の簡単な説明】
【図１】本発明に使用するボールペンリフィールの全体を示す縦断面図であり、チップを上向きした状態を示している。
【図２】本発明のボールペンの前半部を拡大した断面図で、キャップを軸筒の先方に嵌着した状態を示している。
【図３】本発明のボールペンの後半部を拡大した断面図である。
【図４】ポンピングした状態のボールペンの後半部を拡大した断面図である。
【図５】本発明に使用する別の形態のボールペンリフィールの全体を示す縦断面図である。
【符号の説明】
１            ボールペンリフィール
２            インキ収容管
２ａ        小孔
３            チップ
３ａ        ボール抱持部
３ｂ        軸部
４            継ぎ手
４ａ        前軸部
４ｂ        鍔部
４ｃ        後軸部
４ｄ        チップ嵌着孔
４ｅ        リブ
５            弁室
５ａ        弁体受け座
５ｂ        導孔
５ｃ        溝部
６            先端ボール
７            スプリング
７ａ        棒軸部
８            弁体
９            インキ
１０          フォロア
１１          フォロア棒
１２          押し体
１２ａ      鍔部
１２ｂ      軸部
１２ｃ      ガイド部
１２ｄ      シール部
１２ｅ      軸部
１２ｆ      係止突部
１２ｇ      通気孔
１２ｈ      凹状部
１３          シール筒体
１３ａ      当接部
１３ｂ      弾性部
１３ｃ      開口孔
１４          ノック体
１４ａ      段部
１４ｂ      軸部
１４ｃ      孔部
１４ｄ      係止突部
１４ｅ      凸状部
１５        軸筒
１５ａ      軸部
１５ｂ      クリップ
１５ｃ      段部
１６        口先部
１６ａ      段部
１７        キャップ
１７ａ      インナーキャップ
１８        シール栓体
１９        空間部
【図１】
2004237507.tif 000003
【図２】
2004237507.tif 000004
【図３】
2004237507.tif 000005
【図４】
2004237507.tif 000006
【図５】
2004237507.tif 000007